(57)【要約】【課題】鮮やかさと明るさを両立した複数色を表示可能な反射型表示装置を提供する。【解決手段】反射型表示装置は、複数の画素電極を有し白及び黒を表示する反射型表示層と、画素電極のパターンに対応する複数の画素からなるパターンを有する、少なくとも３色のカラーフィルタとを備え、前記カラーフィルタは、所定の第１の色と、第１の色との色相角差が６５度以上、１２０度以下、もしくは−１２０度以上、−６５度以下の第２の色と、第１の色の色相角と第２の色の色相角の間の色相角を有する第３以降の色を有する。【選択図】図２
2018077425.tif 000002
【特許請求の範囲】
【請求項１】
複数の画素電極を有し白及び黒を表示する反射型表示層と、
前記画素電極のパターンに対応する複数の画素からなるパターンを有する、少なくとも３色のカラーフィルタとを備え、
前記カラーフィルタは、所定の第１の色と、前記第１の色との色相角度差が６５度以上、１２０度以下、もしくは−１２０度以上、−６５度以下の第２の色と、前記第１の色の色相角度と前記第２の色の色相角度の間の色相角度を有する第３以降の色とを有することを特徴とする反射型表示装置。
【請求項２】
前記カラーフィルタは３色のみの色を有し、
第３の色の色相角度は、前記第１の色の色相角度および前記第２の色の色相角度の中間の色相角度から−１５度以上、かつ１５度以下であることを特徴とする反射型表示装置。
【請求項３】
前記画素は、３個以上、２５個以下のサブ画素で構成されることを特徴とする請求項１または２に記載の反射型表示装置。
【請求項４】
前記第１の色のおよび前記第２の色は、前記画素に占める着色部分の面積の割合が、いずれも２０％以上、４０％以下であることを特徴とする請求項１〜３のいずれかに記載の反射型表示装置。
【請求項５】
前記画素に占める非着色部分の面積の割合が、４０％以下であることを特徴とする請求項１〜４のいずれかに記載の反射型表示装置。
【発明の詳細な説明】
【技術分野】
【０００１】
本発明は反射型表示装置に関する。
【背景技術】
【０００２】
表示装置として、表示単位ごとに透過率または反射率を変えることができる表示部と、表示部の表示単位ごとに、着色層が対向して配置されたカラーフィルタとを備える透過型または反射型の表示装置が知られている。
例えば、透過型表示装置として、バックライトを使用した透過型液晶表示装置が知られている。透過型液晶表示装置は、使用者がカラーフィルタを透過した光を直接見ることになるため、使用者の目にかかる負担が大きく、使用者が表示画面を長時間見続ける用途には適していない。
これに対して、反射型表示装置は、例えば、カラーフィルタに入射する自然光などの外光を、カラーフィルタに対向された反射型表示部によって反射することで、カラー表示が行われる。このため、反射型表示装置は、透過型表示装置に比べると使用者の目にかかる負担が小さくなり、使用者が表示画面を長時間見続ける作業により適している。反射型表示装置は、表示用光源を内蔵しなくても構成できるため、電力消費も少ない。
反射型表示装置の例として、例えば、電子泳動方式、ツイストボール方式などの反射型表示部を備えた装置が提案されている。このような反射型表示装置は、印刷された紙面と同様に外光の反射光によって文字や画像を表示するため、紙表示媒体に近い表示装置として注目されている。
【０００３】
特許文献１には、カラーフィルタを用いて反射型装置をカラー化する手法が提案されている。
【０００４】
特許文献２には、補色関係にない２色のみの着色画素を形成することで、第１の表示色を表示した場合、第２の表示色を表示した場合、さらに前記２色が混合された第３の表示色において鮮やかなカラーを提供する方法が提案されている。
【０００５】
特許文献２のカラーフィルタでは、発色できる色を限定することで、特許文献１に代表される、ＲＥＤ，ＧＲＥＥＮ，ＢＬＵＥ、もしくはＭＡＧＥＮＴＡ，ＣＹＡＮ，ＹＥＬＬＯＷのような原色をサブ画素に用いる方法と比較して、明るく、鮮やかなカラーフィルタ表示ができる反射型表示装置が提供されている。
【先行技術文献】
【特許文献】
【０００６】
【特許文献１】特開２００３−１６１９６４号公報
【特許文献２】国際公開第２０１５／０４５３５７号
【発明の概要】
【発明が解決しようとする課題】
【０００７】
しかしながら、特許文献２で提案されている２色のみで着色画素を形成するカラーフィルタは、第１の色を発色する際に、少なくとも第２の色を消色する必要がある。したがって、第１の色を発色する際に使用できる画素の最大領域は１／２のみであり、暗くなる。第２の色も上記の理由により暗くなり、十分に明るく、鮮やかな色を実現することは困難であった。
【０００８】
本発明は、明るく、鮮やかな色を実現可能な複数色を表示可能なカラーフィルタを提供することを目的とする。
【課題を解決するための手段】
【０００９】
本発明の一局面は、複数の画素電極を有し白及び黒を表示する反射型表示層と、画素電極のパターンに対応する複数の画素からなるパターンを有する、少なくとも３色のカラーフィルタとを備え、前記カラーフィルタは、所定の第１の色と、第１の色との色相角差が６５度以上、１２０度以下、もしくは−１２０度以上、−６５度以下の第２の色と、第１の色の色相角と第２の色の色相角の間の色相角を有する第３以降の色を有することを特徴とする反射型表示装置である。
【００１０】
また、カラーフィルタは３色のみの色を有し、第３の色の色相角度は、第１の色の色相角度および第２の色の色相角度の中間の色相角度から−１５度以上、かつ１５度以下であってもよい。
【００１１】
また、画素は、３個以上、２５個以下のサブ画素で構成されてもよい。
【００１２】
また、第１の色および第２の色は、１画素に占める着色部分の割合が、いずれも２０％以上、４０％以下であってもよい。
【００１３】
また、画素に占める非着色部分の割合が４０％以下であってもよい。
【発明の効果】
【００１４】
本発明によれば、鮮やかさと明るさを両立した複数色を表示可能な反射型表示装置を提供することができる。
【図面の簡単な説明】
【００１５】
【図１】反射型表示装置の断面図
【図２】Ｌ*ａ*ｂ*表色系における第１の色の範囲、第２の色の範囲、第３以降の色の範囲を示す図
【図３】反射型表示装置の単位画素の例
【発明を実施するための形態】
【００１６】
以下、本発明の一実施形態に係る反射型表示装置について、図面を参照しながら説明する。
【００１７】
本実施形態に係る反射型表示装置１００の模式断面図を図１に示す。反射型表示装置１００は、表示装置基板１、画素電極２、接着層３、反射型表示層４、透明電極層５、透明電極付きフィルム層６、接着層１１、カラーフィルタ層７，８，９、受像層１０、保護フィルム１２を備える。反射型表示装置１００は、複数の画素電極２によって白、及び黒の表示が駆動される反射型表示層４と、画素電極２のパターンに対応する画素パターン（複数のサブ画素からなる複数の画素のパターン）を有するカラーフィルタ７，８，９とにより、カラー表示を行う。図１において基板１から透明電極つきフィルム層１１までの範囲の積層体は、白黒表示の反射型表示装置を構成する。カラーフィルタ７，８，９の各画素は、着色画素として、第１の色を示す着色部と第２の色を示す着色部、第３の色を示す着色部を表しているが、サブ画素の色の割当はこの形に制限されず、場合によっては、第１の色と第２の色の間の色相角を示す第４以降の着色部を配色してもよいし、透明なサブ画素として機能させるために、着色部を設けなくてもよい。
【００１８】
反射型表示層４は電気泳動方式を用いたもの、または、ツイストボールを用いたものを用いることができるが、電界により、表示を切り替えることが可能であれば方式は問わない。
【００１９】
本実施形態のカラーフィルタは、フォトリソ方式、オフセット印刷方式、インクジェット方式等により、形成することができるが、サブ画素に規則正しく狙いの位置に着色部を形成することができれば、方式は問わない。
【００２０】
着色部に用いる顔料は、ＰｉｇｍｅｎｔＲｅｄ９，１９，３８，４３，９７，１２２，１２３，１４４，１４９，１６６，１６８，１７７，１７９，１８０，１９２，２０８，２１５，２１６，２１７，２２０，２２３，２２４，２２６，２２７，２２８，２４０，２５４、ＰｉｇｍｅｎｔＢｌｕｅ１５，１５：３，１５：６，１６，２２，２９，６０，６４、ＰｉｇｍｅｎｔＧｒｅｅｎ７，３６、ＰｉｇｍｅｎｔＯｒａｎｇｅ３６、ＰｉｇｍｅｎｔＶｉｏｌｅｔ２３、ＰｉｇｍｅｎｔＹｅｌｌｏｗ１５０などを挙げることができるが、これらに限定されるものではない。また、色相角を調整するために、前記顔料を２種類以上混合してもよい。
【００２１】
色相角（ｈ）は、色をＬ*ａ*ｂ*表色系で表現した際に式（１）〜（３）で表される。第１の色と第２の色の色相角差は第１の色と第２の色の色相角の差で求められる。
【００２２】
【数１】
2018077425.tif 000003
【００２３】
図２には、第１の色相角（第１の色の色相角）に対する第２の色相角（第２の色の色相角）の範囲、及び第３以降の色相角（第３以降の色の色相角）の範囲の一例をＬ*ａ*ｂ*表色系で示した。図２では第１の色相角２２を４５°と設定したが、この値は０°〜３６０°の範囲で自由に設定できる。第１の色相角２２が４５°の場合、第２の色相角がとり得る範囲は２８５°〜３４０°（第２の色相角の範囲（ａ）２３）、もしくは１１０°〜１７５°（第２の色相角の範囲（ｂ）２４）となる。第３以降の色相角がとり得る範囲は、第１の色相角と第２の色相角の間（第１の色相角と第２の色相角と原点とが作る小さい方の扇形の内側）であればよいが、第２の色相角の範囲（ａ）２３の場合は３５５°（−５°）〜３０°（第３の色の色相角の範囲（ａ）２５）、第２の色相角の範囲（ｂ）２４の場合は６０°〜９５°（第３の色の色相角の範囲（ｂ）２６）とするのが好ましい。この範囲の色相角に調整すれば、第１の発色状態、第２の発色状態、及び第３の発色状態で明るく、鮮やかな表示を実現することができる。
【００２４】
図３には、１画素を構成するサブ画素の区切りとサブ画素に対応する第１の色、第２の色及び第３の色の配置例を示した。少なくとも第１の色と、第２の色、及び第３の色を１画素内に着色するために、１画素を構成するためのサブ画素は３つ以上必要である。図３の例（ａ）は画素をストライプ状３つのサブ画素に区切り、第１の色と第２の色、及び第３の色の画素７，８，９を着色した例である。サブ画素はストライプ状である必要はなく、例えば図３の例（ｂ）のようにアイランド状に区切ることもできる。また、一部を非着色画素２８としてもよい。また、図３の例（ｃ）のようにアイランド状に区切ったサブ画素の一部に第１の色相角と第２の色相角の間かつ、第３の色とは異なる色の第４の色の画素２７を配置してもよい。あらかじめサブ画素が正方形となっている白黒反射型表示装置にストライプ状のカラーフィルタを形成するには、例えば図３の例（ｄ）のように９つのサブ画素で一つの画素を形成し、縦、または横方向に直線状に同じ色、例えば第１の色を配列し、隣り合う列に別の色、例えば第２の色、同様に第３の色を着色してもよい。このとき、発色時の明るさを向上させるために非着色画素２８を配置してもよい（図３の例（ｅ））。また、各色の配置のバランスは均一でなくともよく、例えば、第１の色の着色面積率を上げてもよい（図３の例（ｆ））。サブ画素の数は図３の例（ｇ）のように２５まで増やしてもよい。サブ画素の数が２５を超えると表示装置の解像度が悪化する。図３の例（ｇ）のように例えば、第１と第２の色を２５箇所あるサブ画素のうちそれぞれ１０箇所のサブ画素（４０％）に配置し、第３以降の色を５箇所のサブ画素（２０％）に配置することで、６０％の下地面積で、後述する第１、及び第２の発色状態を作り出すことができる。その際に、第１、及び第２の色を発色するために使用できる下地面積は４０％となり、彩度が強調される発色状態が実現できる。また、彩度よりも明るさを重要視したい場合は図３の例（ｈ）のように非着色部分を追加することもできる。さらに、図３の例（ｉ）のように、第４以降の色も追加することもできる。
【００２５】
任意の第１の色と、第１の色との色相角差が６５度以上、１２０度以下、もしくは−１２０度以上、−６５度以下の第２の色と、第１の色の色相角と第２の色の色相角の間の色相角を有する第３以降の色を有することが好ましい。こうすることで、第３以降の色は第１の色と第２の色の中間の色相であるので、第１の色と第３以降の色を発色状態にし、第２の色のみを消色した場合の色（第１の発色状態）と、第２の色と第３以降の色を発色状態にし、第１の色のみを消色した場合の色（第２の発色状態）、さらに、すべての画素を発色状態にし、第１の色、第２の色、及び第３以降の色の混色を表示した場合の色（第３の発色状態）を明確に区別しやすい発色状態として、使い分けることができる。このとき、これらの色を表示するために必要な画素の面積を１／２よりも広い面積にすることが可能となる。広い面積を使用し、発色することで、明るく、鮮やかな色を実現することができる。第１の色と第２の色の色相角差が−６５度よりも大きく、６５度よりも小さい場合、第１の発色状態と第２の発色状態、および第３の発色状態の色差が小さくなり、色の違いを表現するのが困難となる。一方で、色相角度差が１２０度よりも大きいか、−１２０度より小さくなった場合、発色する際に第３以降の色が第１の色、及び（または）第２の色との色差が大きくなるため、第３以降の色との混色の際に彩度が低下する。
【００２６】
また、１画素を構成するためのサブ画素の数が３以上とすると、第３以降の色をサブ画素に配置することが可能となる。さらに、第１の色、及び（または）第２の色を１画素中で複数のサブ画素に配置することで、着色面積の調整が可能となる。これにより、強調したい色を多くの画素にわたり配置すること、もしくは明るさを得るために非着色にする画素を確保することなど、要求される色を再現性よく実現することが可能となる。サブ画素の数が２以下の場合、第３以降の色を配置することができなくなり、２５を上回ると、１画素の面積が大きくなり、解像度が悪化する。
【００２７】
また、第１と第２の色の１画素に占める着色部分の面積の割合を、２０％以上、４０％以下とすると、明るく、鮮やかな色を実現することができる。２０％以下になると、鮮やかな色が出なくなる。一方で、４０%以上になると第１の発色状態、及び（または）第２の発色状態の際に、少なくとも４０％の画素を消色する必要が生じるため、明るさが得られなくなる。
【００２８】
また、１画素に占める非着色部分の面積の割合を、４０％以下とすると、発色時の彩度を向上させることができる。４０％以上の場合、着色部分の割合が少なくなり、十分な彩度が得られなくなる。
【００２９】
また、第３の色は第１の色相角と第２の色相角の中間の色相角から−１５度以上、かつ１５度以下の色を有するようにすると、第３の色が第１の色相角と第２の色相の中間に位置することで、第１の発色状態、及び第２の発色状態の明るさ、彩度を向上させるために寄与することができる。第３の色の色相角が前記角度の範囲外に位置すると、第１の発色状態、もしくは第２の発色状態のどちらか一方にのみ寄与し、どちらか一方に悪影響を与え、彩度が低下する。
【実施例】
【００３０】
実施例、及び比較例に係る反射型表示装置は、サブ画素数、インクの色相角、各インクのサブ画素の使用範囲を表１に示すように相異ならせ、第１、第２の発色の明彩度と解像度、明るさを判定した。各実施例、比較例における結果を表２にまとめた。詳細に関しては以下に記す。
【００３１】
【表１】
2018077425.tif 000004
【００３２】
【表２】
2018077425.tif 000005
【００３３】
（実施例１）
図１に記載の反射型表示装置において、受像層１１から保護フィルム１２を含まない、白黒の表示のみを行う白黒反射型表示装置を用意した。白黒反射型表示装置の１画素（カラーフィルタを搭載していない）の幅は２１７μｍ×２１７μｍで、画素数はｘ軸が４００、ｙ軸が６００である。
【００３４】
白黒反射型表示装置をカラー化するために、カラーフィルタを搭載した。カラーフィルタはインクジェット法にて形成した。
【００３５】
インクジェット法でカラーフィルタを形成するために、白黒反射表示装置に受像層１１を形成した。受像層はウレタン系樹脂を１２重量部、トルエンを２０重量部、イソプロピルアルコールを４０重量部、γブチロラクトンを２８重量部含むものをブレードコーターでギャップ１００μｍにてコーティングした後、７０℃、５分で乾燥した。受像層の乾燥膜厚は１０μｍとなった。
【００３６】
形成された受像層にインクジェット法を用いて着色画素の形成を行った。着色画素形成後、第１の発色、及び第２の発色状態にし、日本電色工業製の分光色差計ＮＦ３３３を用いてＬ*ａ*ｂ*表色系における色を測定した。
【００３７】
反射型表示装置は彩度Ｃが３０以上であること、第１の発色と第２の発色の色差ΔＥａｂが１５以上であること、発色時に十分な明るさが感じられること、解像度が問題ないと感じられることを判断し、これらが満たせているサンプルを表２に示す判定（〇）とし、一つでも満たせないサンプルを判定（×）とした。発色時の明るさは色相の影響を大きく受ける（例えば緑色の場合、反射率は高くなりやすくなり、赤、青系の色は反射率が低くなりやすくなる。）ため、官能評価で判断した。また、解像度の良し悪しに関しても官能評価を行った。
【００３８】
サブ画素は３箇所とし、各使用範囲は３３％とした。色相角は第１の色が４５°、第２の色が１２５°、第３の色が９０°となるように調整した。
【００３９】
第１の色は顔料としてＰｉｇｍｅｎｔＹｅｌｌｏｗ１５０を０．２３重量部、ＰｉｇｍｅｎｔＲｅｄ２５４を０．６８重量部、分散剤を０．４９重量部、固形分としてメラミン樹脂を２８．６０重量部、溶剤としてカルビトールアセテートを７０重量部混合し、第１の色のインクを作製した。
【００４０】
第２の色は顔料としてＰｉｇｍｅｎｔＹｅｌｌｏｗ１５０を０．５１重量部、ＰｉｇｍｅｎｔＧｒｅｅｎ３６を０．２６重量部、分散剤を０．５４重量部、固形分としてメラミン樹脂を２８．６８重量部、溶剤としてカルビトールアセテートを７０重量部混合した。
【００４１】
第３の色は顔料としてＰｉｇｍｅｎｔＹｅｌｌｏｗ１５０を０．６３重量部、ＰｉｇｍｅｎｔＲｅｄ２５４を０．０８重量部、分散剤を０．４６重量部、溶剤としてカルビトールアセテートを７０重量部混合した。
【００４２】
上記各色のインクをインクジェットヘッドに充填し、受像層とヘッドの距離を１ｍｍとして各サブ画素に所定のインクを精度１０μｍ以内で打ち込んだ後、インクを７０℃５分で乾燥し、カラーフィルタの着色部分とした。
【００４３】
このようにして作製された反射型表示装置は、彩度Ｃが第１の発色で４５．４、第２の発色で４８．６、第１の発色と第２の発色の色差ΔＥａｂは１９．４となった。また解像度、明るさ共に良好な結果となった。
【００４４】
（実施例２）
サブ画素は３箇所とし、各使用範囲は３３％とした。色相角は第１の色が４５°、第２の色が３４０°、第３の色が１５°となるように調整した。第１の色と第２の色の色相角差は、Ｌ＊ａ＊ｂ表色系上で第１の色の点から第２の色の点まで反時計周りに回転させると、２９５°となるが、時計周りに回転させると６５°となる。この場合の色相角は６５°とする。
【００４５】
第１の色は実施例１の第１の色と同じものを用いた。
【００４６】
第２の色は顔料としてＰｉｇｍｅｎｔＲｅｄ１２２を０．５４重量部、ＰｉｇｍｅｎｔＲｅｄ２５４を０．０８重量部、分散剤を０．３３重量部、固形分としてメラミン樹脂を２９．０４重量部、溶剤としてカルビトールアセテートを７０重量部混合した。
【００４７】
第３の色は顔料としてＰｉｇｍｅｎｔＲｅｄ１２２を０．２３重量部、ＰｉｇｍｅｎｔＲｅｄ２５４を０．５４重量部、分散剤を０．４０重量部、固形分としてメラミン樹脂を２８．８２重量部、溶剤としてカルビトールアセテートを７０重量部混合した。
【００４８】
上記各色のインクを用いて作製した反射型示装置は、彩度Ｃが第１の発色で４４．８、第２の発色で３９．０、第１の発色と第２の発色の色差ΔＥａｂは１６．０となった。また解像度、明るさ共に良好な結果となった。
【００４９】
（実施例３）
サブ画素は３箇所とし、各使用範囲は３３％とした。色相角は第１の色が５°、第２の色が１２５°、第３の色が６０°となるように調整した。
【００５０】
第１の色は顔料としてＰｉｇｍｅｎｔＲｅｄ１２２を０．３９重量部、ＰｉｇｍｅｎｔＲｅｄ２５４を０．４０重量部、分散剤を０．４１重量部、固形分としてメラミン樹脂を２８．７９重量部、溶剤としてカルビトールアセテートを７０重量部混合した。
【００５１】
第２の色は実施例１の第２の色と同じものを用いた。
【００５２】
第３の色は顔料としてＰｉｇｍｅｎｔＲｅｄ１２２を０．５１重量部、ＰｉｇｍｅｎｔＲｅｄ２５４を０．３０重量部、分散剤を０．４８重量部、固形分としてメラミン樹脂を２８．７１重量部、溶剤としてカルビトールアセテートを７０重量部混合した。
【００５３】
上記各色のインクを用いて作製した反射型示装置は、彩度Ｃが第１の発色で３６．８、第２の発色で３４．１、第１の発色と第２の発色の色差ΔＥａｂは３１．０となった。また解像度、明るさ共に良好な結果となった。
【００５４】
（実施例４）
サブ画素は９箇所とし、各使用範囲は３３％とした。色相角は第１の色が４５°、第２の色が３４０°、第３の色が１５°となるように調整した。
【００５５】
第１の色、第２の色、第３の色は実施例２と同じものを用いた。
【００５６】
上記各色のインクを用いて作製した反射型示装置は、彩度Ｃが第１の発色で４５．５、第２の発色で３９．０、第１の発色と第２の発色の色差ΔＥａｂは１６．７となった。また解像度、明るさ共に良好な結果となった。
【００５７】
（実施例５）
サブ画素は９箇所とし、各使用範囲は第１の色が２２％、第２の色が２２％、第３の色が１１％、第４の色が１１％、非着色の領域を３３％とした。色相角は第１の色が５°、第２の色が１２５°、第３の色が７０°、第４の色が４５°となるように調整した。
【００５８】
第１の色は実施例３の第１の色と同じものを用いた。
【００５９】
第２の色は実施例３の第２の色と同じものを用いた。
【００６０】
第３の色は顔料としてＰｉｇｍｅｎｔＹｅｌｌｏｗ１５０を０．５０重量部、ＰｉｇｍｅｎｔＲｅｄ２５４を０．１９重量部、分散剤を０．４３重量部、固形分としてメラミン樹脂を２８．８６重量部、溶剤としてカルビトールアセテートを７０重量部混合した。
【００６１】
上記各色のインクを用いて作製した反射型示装置は、彩度Ｃが第１の発色で３２．５、第２の発色で３１．０、第１の色と第２の色の色差ΔＥａｂは３２．４となった。また解像度、明るさ共に良好な結果となった。
【００６２】
（実施例６）
サブ画素は２５箇所とし、各使用範囲は第１の色が２０％、第２の色が２０％、第３の色が２０％、第４の色が２０％、非着色の領域を２０％とした。色相角は第１の色が５°、第２の色が１２５°、第３の色が３０°、第４の色が４０°となるように調整した。
【００６３】
第１の色は実施例３の第１の色と同じものを用いた。
【００６４】
第２の色は実施例３の第２の色と同じものを用いた。
【００６５】
第３の色は顔料としてＰｉｇｍｅｎｔＲｅｄ２５４を０．８６重量部、分散剤を０．４６重量部、固形分としてメラミン樹脂を２８．７３重量部、溶剤としてカルビトールアセテートを７０重量部混合した。
【００６６】
上記各色のインクを用いて作製した反射型示装置は、彩度Ｃが第１の発色で３３．６、第２の発色で３１．５、第１の色と第２の色の色差ΔＥａｂは３３．１となった。また解像度、明るさ共に良好な結果となった。
【００６７】
（実施例７）
サブ画素は２５箇所とし、各使用範囲は第１の色が２０％、第２の色が２０％、第３の色が２０％、非着色の領域を４０％とした。色相角は第１の色が５°、第２の色が１２５°、第３の色が７０°となるように調整した。
【００６８】
第１の色は実施例３の第１の色と同じものを用いた。
【００６９】
第２の色は実施例３の第２の色と同じものを用いた。
【００７０】
第３の色は実施例５の第３の色と同じものを用いた。
【００７１】
上記各色のインクを用いて作製した反射型示装置は、彩度Ｃが第１の発色で３０．０、第２の発色で３０．２、第１の発色と第２の発色の色差ΔＥａｂは２８．４となった。また解像度、明るさ共に良好な結果となった。
【００７２】
（実施例８）
サブ画素は２５箇所とし、各使用範囲は第１の色が４０％、第２の色が４０％、第３の色が２０％とした。色相角は第１の色が５°、第２の色が１２５°、第３の色が７０°となるように調整した。
【００７３】
第１の色は実施例３の第１の色と同じものを用いた。
【００７４】
第２の色は実施例３の第２の色と同じものを用いた。
【００７５】
第３の色は実施例５の第３の色と同じものを用いた。
【００７６】
上記各色のインクを用いて作製した反射型示装置は、彩度Ｃが第１の発色で３５．９、第２の発色で３３．９、第１の発色と第２の発色の色差ΔＥａｂは３５．２となった。また解像度、明るさ共に良好な結果となった。
【００７７】
（比較例１）
サブ画素は３箇所とし、各使用範囲は第１の色が５０％、第２の色が５０％とした。色相角は第１の色が４５°、第２の色が１２５°となるように調整した。
【００７８】
第１の色は実施例１の第１の色と同じものを用いた。
【００７９】
第２の色は実施例１の第２の色と同じものを用いた。
【００８０】
上記各色のインクを用いて作製した反射型示装置は、彩度Ｃが第１の発色で２６．０、第２の発色で３９．２、第１の発色と第２の発色の色差ΔＥａｂは２７．７となった。解像度は良好であったが、パネル発色時の明るさは十分ではなかった。第１の発色で彩度が３０より小さかったこと、明るさが十分ではなかったことから、判定を×とした。
【００８１】
（比較例２）
サブ画素は３箇所とし、各使用範囲は第１の色が３３％、第２の色が３３％、第３の色が３３％とした。色相角は第１の色が５°、第２の色が１３５°、第３の色が７０°となるように調整した。
【００８２】
第１の色は実施例３の第１の色と同じものを用いた。
【００８３】
第２の色は、顔料としてＰｉｇｍｅｎｔＹｅｌｌｏｗ１５０を０．５１重量部、ＰｉｇｍｅｎｔＲｅｄ２５４を０．６０重量部、分散剤を０．８２重量部、固形分としてメラミン樹脂を２８．０７重量部、溶剤としてカルビトールアセテートを７０重量部混合した。
【００８４】
第３の色は実施例５の第３の色と同じものを用いた。
【００８５】
上記各色のインクを用いて作製した反射型示装置は、彩度Ｃが第１の発色で３３．３、第２の発色で２９．０、第１の発色と第２の発色の色差ΔＥａｂは３２．３となった。解像度、明るさ共には良好であった。第２の発色で彩度が３０より小さかったことから判定を×とした。
【００８６】
（比較例３）
サブ画素は３箇所とし、各使用範囲は第１の色が３３％、第２の色が３３％、第３の色が３３％とした。色相角は第１の色が４５°、第２の色が３４５°、第３の色が１５°となるように調整した。
【００８７】
第１の色は実施例１の第１の色と同じものを用いた。
【００８８】
第２の色は、顔料としてＰｉｇｍｅｎｔＲｅｄ１２２を０．７５重量部、ＰｉｇｍｅｎｔＲｅｄ２５４を０．１４重量部、分散剤を０．４７重量部、固形分としてメラミン樹脂を２８．６３重量部、溶剤としてカルビトールアセテートを７０重量部混合した。
【００８９】
第３の色は実施例２の第３の色と同じものを用いた。
【００９０】
上記各色のインクを用いて作製した反射型示装置は、彩度Ｃが第１の発色で３９．３、第２の発色で４５．５、第１の発色と第２の発色の色差ΔＥａｂは１４．０となった。解像度、明るさ共には良好であった。第１の発色と第２の発色の色差ΔＥａｂが１５より小さかったことから判定を×とした。
【００９１】
（比較例４）
サブ画素は２５箇所とし、各使用範囲は第１の色が１６％、第２の色が１６％、第３の色が６８％とした。色相角は第１の色が５°、第２の色が１２５°、第３の色が６０°となるように調整した。
【００９２】
第１の色は実施例３の第１の色と同じものを用いた。
【００９３】
第２の色は実施例３の第２の色と同じものを用いた。
【００９４】
第３の色は実施例３の第３の色と同じものを用いた。
【００９５】
上記各色のインクを用いて作製した反射型示装置は、彩度Ｃが第１の発色で２３．３、第２の発色で２２．４、第１の発色と第２の発色の色差ΔＥａｂは２７．０となった。解像度、明るさ共には良好であった。第１の発色と第２の発色の彩度が３０を下回ったため、判定を×とした。
【００９６】
（比較例５）
サブ画素は２５箇所とし、各使用範囲は第１の色が２０％、第２の色が２０％、第３の色が８％、非着色領域を５２％とした。色相角は第１の色が５°、第２の色が１２５°、第３の色が６０°となるように調整した。
【００９７】
第１の色は実施例３の第１の色と同じものを用いた。
【００９８】
第２の色は実施例３の第２の色と同じものを用いた。
【００９９】
第３の色は実施例３の第３の色と同じものを用いた。
【０１００】
上記各色のインクを用いて作製した反射型示装置は、彩度Ｃが第１の発色で２２．４、第２の発色で２１．２、第１の発色と第２の発色の色差ΔＥａｂは２５．０となった。解像度、明るさ共には良好であった。第１の発色と第２の発色の彩度が３０を下回ったため、判定を×とした。
【０１０１】
（比較例６）
サブ画素は３６箇所とし、各使用範囲は第１の色が３３％、第２の色が３３％、第３の色が３３％とした。色相角は第１の色が４５°、第２の色が１２５°、第３の色が９０°となるように調整した。
【０１０２】
第１の色は実施例１の第１の色と同じものを用いた。
【０１０３】
第２の色は実施例１の第２の色と同じものを用いた。
【０１０４】
第３の色は実施例１の第３の色と同じものを用いた。
【０１０５】
上記各色のインクを用いて作製した反射型示装置は、彩度Ｃが第１の発色で４６．１、第２の発色で４９．４、第１の発色と第２の発色の色差ΔＥａｂは２０．７となった。明るさは良好であったが、解像度が悪かったため判定を×とした。
【産業上の利用可能性】
【０１０６】
本発明はカラーフィルタを備える反射型表示装置などに利用可能である。
【符号の説明】
【０１０７】
１    表示装置基板
２    画素電極
３    接着層
４    反射型表示層
５    透明電極層
６    透明電極付きフィルム層
７    カラーフィルタ層（第１の色の着色画素）
８    カラーフィルタ層（第２の色の着色画素）
９    カラーフィルタ層（第３の色の着色画素）
１０    受像層
１１    接着層
１２    保護フィルム
２１    第１の色
２２    第１の色の色相角
２３    第２の色の色相角の範囲（ａ）
２４    第２の色の色相角の範囲（ｂ）
２５    第３の色の色相角の範囲（ａ）
２６    第３の色の色相角の範囲（ｂ）
２７    カラーフィルタ層（第４の色の着色画素）
２８    非着色画素
【図１】
2018077425.tif 000006
【図２】
2018077425.tif 000007
【図３】
2018077425.tif 000008